(57)【要約】      （修正有）【課題】携帯端末機の外装型アンテナがケース内に挿入されている時、受動利得の低下を最小化できる携帯端末機の外装型アンテナ構造を提供する。【解決手段】ケースの外部に引き出し可能なスリーブ１１４と、スリーブの下端部に連結されたストッパー１１６と、ストッパーの内部及び下端部に設けられたポゴピンとを備える外装型アンテナ１００、並びに、外装型アンテナ１００がケース１１１の内部に挿入される時、ポゴピンと電気的に接触する追加アンテナパターン１３０、を含むことを特徴とする。これにより、外装型アンテナがケース内部に挿入されている場合、受動利得の低下を最小化でき、ケース１１１内に挿入された外装型アンテナ１００が追加アンテナパターン１３０と安定的に電気的接触できる。【選択図】図２
2011176826.tif 000002
【特許請求の範囲】
【請求項１】
ケースの外部に引き出し可能なスリーブと、前記スリーブの下端部に連結されたストッパーと、前記ストッパーの内部及び下端部に設けられたポゴピンとを備える外装型アンテナ、並びに、
前記外装型アンテナが前記ケースの内部に挿入される時、前記ポゴピンと電気的に接触する追加アンテナパターン、を含むことを特徴とする携帯端末機の外装型アンテナ構造。
【請求項２】
前記ポゴピンは、前記ストッパーの内部に設けられた弾性部材と、前記弾性部材の下端と接触し、前記ストッパーの下端部に設けられた接触ピンと、を含むことを特徴とする請求項１に記載の携帯端末機の外装型アンテナ構造。
【請求項３】
前記追加アンテナパターンは、前記ポゴピンと接触する接触部と、前記追加アンテナパターンを前記ケースに固定するための固定部と、前記接触部と前記固定部を連結する連結部と、を含むことを特徴とする請求項１に記載の携帯端末機の外装型アンテナ構造。
【請求項４】
前記固定部は、融着によって前記固定部を前記ケースに固定させるための１つ以上のホールを含むことを特徴とする請求項３に記載の携帯端末機の外装型アンテナ構造。
【請求項５】
前記固定部の幅は、前記ストッパーの幅より小さいことを特徴とする請求項３に記載の携帯端末機の外装型アンテナ構造。
【請求項６】
前記固定部は、前記スリーブの長さ方向に沿って延長されている形状よりなることを特徴とする請求項３に記載の携帯端末機の外装型アンテナ構造。
【請求項７】
前記固定部は、上部が前記スリーブの長さ方向に沿って延長され、下部が前記ケースの下端部に沿って延長されることを特徴とする請求項３に記載の携帯端末機の外装型アンテナ構造。
【請求項８】
前記スリーブと前記ストッパーは、前記ケースの内側部に設けられたチューブの内部に沿って挿入され、引き出されることを特徴とする請求項１に記載の携帯端末機の外装型アンテナ構造。
【請求項９】
前記スリーブは、前記ケースの外部に引き出される時、前記スリーブの長さが延長されるように外部スリーブ及び内部スリーブを含むことを特徴とする請求項１に記載の携帯端末機の外装型アンテナ構造。
【請求項１０】
前記チューブの上端部には、前記スリーブまたは前記ストッパーと接触する給電部が形成されることを特徴とする請求項８に記載の携帯端末機の外装型アンテナ構造。
【請求項１１】
前記チューブは、ＰＶＣよりなることを特徴とする請求項８に記載の携帯端末機の外装型アンテナ構造。
【請求項１２】
前記ストッパーは、ヒンジ結合部によって前記スリーブの下端部と連結されていることを特徴とする請求項１に記載の携帯端末機の外装型アンテナ構造。
【請求項１３】
前記外装型アンテナのストッパーは、外装型アンテナが給電部から離脱するのを防止できる一定の幅を有し、且つ前記チューブに沿って移動可能にするために、実質的に直線形状を有することを特徴とする請求項１０に記載の携帯端末機の外装型アンテナ構造。
【発明の詳細な説明】
【技術分野】
【０００１】
本発明は、携帯端末機の外装型アンテナ構造に係り、より詳細には、携帯端末機の外装型アンテナがケース内に挿入されたとき、アンテナパターンの長さを延長できる携帯端末機のアンテナ構造に関する。
【背景技術】
【０００２】
最近、携帯電話のような携帯端末機の場合、音声通信機能のほか、ＤＭＢ（Ｄｉｇｉｔａｌ  Ｍｕｌｔｉｍｅｄｉａ  Ｂｒｏａｄｃａｓｔｉｎｇ）、ＩＳＤＢ−Ｔ（Ｉｎｔｅｇｒａｔｅｄ  Ｓｅｒｖｉｃｅｓ  Ｄｉｇｉｔａｌ  Ｂｒｏａｄｃａｓｔｉｎｇ−Ｔｅｒｒｅｓｔｒｉａｌ）、ＤＶＢ−Ｈ（Ｄｉｇｉｔａｌ  Ｖｉｄｅｏ  Ｂｒｏａｄｃａｓｔｉｎｇ−Ｈａｎｄｈｅｌｄ）、ＭｅｄｉａＦＬＯ（Ｍｅｄｉａ  Ｆｏｒｗａｒｄ  Ｌｉｎｋ  Ｏｎｌｙ）のようなモバイル放送を受信できる機能に対する需要が増加している。このようなモバイル放送を受信するためのアンテナとして、携帯端末機のケース内に挿入するか、またはケースから引き出すことができるホイップアンテナ（ｗｈｉｐ  ａｎｔｅｎｎａ）のような外装型アンテナが主に使用されている。
【０００３】
図１は、従来の携帯端末機の外装型アンテナ構造を示す平面図である。従来の携帯端末機の外装型アンテナ構造は、スリーブ１４とストッパー１６を備える外装型アンテナ１０を含む。スリーブ１４の上端部には、ヘッド１２が形成されている。また、スリーブ１４とストッパー１６がケース１１に挿入されるか、またはケース１１から引き出されることを案内するチューブ１５がケース１１の内側部に形成されている。チューブ１５の下端には、ストッパー１６がチューブ１５の外に突出することを防止する蓋体１７が嵌着されている。チューブ１５の上端部には、スリーブ１４またはストッパー１６と接触する給電部１３が形成されている。ストッパー１６は、ヒンジ結合部１９によってスリーブ１４の下端部に連結されている。
【０００４】
このような携帯端末機の外装型アンテナ構造は、モバイル放送を予約録画する場合、通常、外装型アンテナ１０がケース１１の内部に挿入されているので、外装型アンテナ１０が引き出されている時より受動利得（ｐａｓｓｉｖｅ  ｇａｉｎ）が３０ｄＢ程度低くなるという問題点があった。また、外装型アンテナ１０周辺のサイドキー１８とケース１１が信頼性向上のために金属よりなる場合は、プラスチックよりなる場合に比べて受動利得が１０ｄＢ程度さらに低くなるという問題点があった。
【発明の概要】
【発明が解決しようとする課題】
【０００５】
本発明の目的は、外装型アンテナがケース内部に挿入されている場合、受動利得の低下を最小化できる携帯端末機の外装型アンテナ構造を提供することにある。
【課題を解決するための手段】
【０００６】
上記目的を達成するためになされた本発明は、ケースの外部に引き出し可能なスリーブと、スリーブの下端部に連結されたストッパーと、ストッパーの内部及び下端部に設けられたポゴピンを備える外装型アンテナ、並びに、外装型アンテナがケースの内部に挿入される時、ポゴピンと電気的に接触する追加アンテナパターン、を含むことを特徴とする携帯端末機の外装型アンテナ構造を提供する。
【発明の効果】
【０００７】
本発明によれば、外装型アンテナがケース内部に挿入されている場合、追加アンテナパターンが外装型アンテナと接触するので、受動利得の低下を最小化できる。
また、ストッパーに設けられたポゴピンによって、ケース内に挿入された外装型アンテナと追加アンテナパターンの安定的な電気的接触が得られる。
【図面の簡単な説明】
【０００８】
【図１】従来の携帯端末機の外装型アンテナ構造を示す平面図である。
【図２】本発明の第１実施形態による携帯端末機の外装型アンテナ構造を示す平面図である。
【図３】本発明の第１実施形態による携帯端末機の外装型アンテナ構造の外装型アンテナ及びポゴピンを示す平面図である。
【図４】図２に示された追加アンテナパターンを示す斜視図である。
【図５】図２に示された外装型アンテナがケースから引き出された状態の携帯端末機の外装型アンテナ構造を示す平面図である。
【図６】本発明の第２実施形態による携帯端末機の外装型アンテナ構造を示す平面図である。
【発明を実施するための形態】
【０００９】
以下、図面を参照して本発明による携帯端末機の外装型アンテナ構造の好ましい実施形態を詳しく説明する。
【００１０】
図２は、本発明の第１実施形態による携帯端末機の外装型アンテナ構造を示す平面図であり、図３は、本発明の第１実施形態による携帯端末機の外装型アンテナ構造の外装型アンテナ及びポゴピンを示す平面図であり、図４は、図２に示した追加アンテナパターンを示す斜視図であり、図５は、図２に示した外装型アンテナがケースから引き出された状態の携帯端末機の外装型アンテナ構造を示す平面図である。
【００１１】
以下、図２〜図５を参照して、本発明の第１実施形態による携帯端末機の外装型アンテナ構造を説明する。本実施形態による携帯端末機の外装型アンテナ構造は、スリーブ１１４とストッパー１１６及びポゴピン１２０を備える外装型アンテナ１００と、追加アンテナパターン１３０とを含む。
【００１２】
スリーブ１１４は、ケース１１１の外部に引き出し可能であり、上端部には、ケース１１１の角部を成すヘッド１１２が形成されている。スリーブ１１４は、図５に示したように、ケース１１１の外部に引き出された時、アンテナとしての長さが延長されるように外部スリーブ１１４ａ及び内部スリーブ１１４ｂよりなることが好ましい。スリーブ１１４、好ましくは内部スリーブ１１４ｂの下端部には、ストッパー１１６がヒンジ結合部１１９によって連結されている。ストッパー１１６は、図５に示したように、スリーブ１１４全体が引き出される時、外装型アンテナ１００が給電部１１３から離脱するのを防止する役目をする。スリーブ１１４とストッパー１１６は、ケース１１１の内側部に設けられたチューブ１１５の内部に沿って挿入され、引き出される。チューブ１１５は、透明ＰＶＣ（ｐｏｌｙｖｉｎｙｌ  ｃｈｌｏｒｉｄｅ）材質よりなることが好ましい。チューブ１１５の上端部にはスリーブ１１４またはストッパー１１６と接触する給電部１１３が形成されている。
【００１３】
ストッパー１１６の内部及び下端部には、図３に示したように、ポゴピン１２０が設けられている。ポゴピン１２０は、ストッパー１１６の内部に設けられた弾性部材１２１と、弾性部材１２１の下端と接触し、ストッパー１１６の下端部に設けられた接触ピン１２２とを含む。弾性部材１２１は、追加アンテナパターン１３０により接触ピン１２２が加圧される時、接触ピン１２２を追加アンテナパターン１３０側に押し付ける役目をする。弾性部材１２１は、図３にバネで示したが、ゴムまたは空圧／油圧アブソーバのように、弾性により接触ピン１２２を押し付けることができる他の手段も使用可能である。
【００１４】
ケース１１１の内部には、外装型アンテナ１００がケース１１１の内部に挿入されている時、ポゴピン１２０と電気的に接触する追加アンテナパターン１３０が設けられている。追加アンテナパターン１３０は、図４に示したように、ポゴピン１２０と接触する接触部１３１と、追加アンテナパターン１３０をケース１１１に固定するための固定部１３３と、接触部１３１と固定部１３３を連結する連結部１３２とを含む。本実施形態の追加アンテナパターン１３０の固定部１３３は、融着によって固定部１３３をケース１１１に固定するための１つ以上のホール１３４ａ、１３４ｂを含み、図２に示したように、スリーブ１１４の長さ方向に沿って延伸されている。また、固定部１３３の幅Ｗ２は、ストッパー１１６の幅Ｗ１より小さいことが好ましい。
【００１５】
本実施形態による携帯端末機の外装型アンテナ構造によれば、外装型アンテナ１００が、例えばモバイル放送予約録画の際に、ケース１１１内に挿入されている時、追加アンテナパターン１３０と電気的に接触する。したがって、外装型アンテナ１００がケース１１１内に挿入されている時の受動利得の低下を最小化できる。具体的に、外装型アンテナ１００が挿入された場合を比較すれば、本実施形態による携帯端末機の外装型アンテナ構造は、図１に示したような追加アンテナパターン１３０が無い、従来の携帯端末機の外装型アンテナ構造に比べて受動利得が１０ｄＢ高い効果があった。
【００１６】
また、外装型アンテナが引き出された場合の実験結果を比較すれば、図５に示したように、外装型アンテナが追加アンテナパターン１３０と完全に分離する本実施形態による携帯端末機の外装型アンテナ構造は、引き出された外装型アンテナが追加アンテナパターンと接触している構造よりさらに良好な受動利得を示した。
【００１７】
また、外装型アンテナ１００のストッパー１１６は、外装型アンテナ１００が給電部１１３から離脱するのを防止するために、一定の幅Ｗ１を有しなければならないし、且つチューブ１１５に沿って移動可能にするために、実質的に直線形状を有しなければならない。しかしながら、追加アンテナパターン１３０は、ストッパー１１６より幅Ｗ２を大きく低減でき、直線から変形された形状、例えば直線を曲げて折り畳んだ形状を作ることが容易である。したがって、本実施形態による携帯端末機の外装型アンテナ構造によれば、従来技術により外装型アンテナ自体を単に延長した構造より、ケースの下端部の空間活用度をさらに高くできる。
【００１８】
図６は、本発明の第２実施形態による携帯端末機の外装型アンテナ構造の平面図である。
【００１９】
図６は、図２の携帯端末機の外装型アンテナ構造と類似の特徴を含む。さらに具体的に、外装型アンテナ２００は、スリーブ２１４及びストッパー２１６を含む。スリーブ２１４は、ケース２１１の外部に引き出し可能である。ケース２１１の角部を形成するヘッド２１２は、スリーブ２１４の上端部に設けられる。スリーブ２１４の長さは、ケース２１１の外部に延長できる。ストッパー２１６は、スリーブ２１４全体が引き出される時、外装型アンテナ２００が給電部２１３から分離するのを防止する。スリーブ２１４とストッパー２１６は、ケース２１１の内側に設けられたチューブ２１５の内部に沿って挿入され、引き出される。
【００２０】
また、連結部２３２は、固定部２３３を接触部に連結されている。追加アンテナパターン２３０の固定部２３３は、固定部２３３をケース２１１に固定する１つ以上のホール２３４ａ、２３４ｂを含む。第２実施形態による携帯端末機の外装型アンテナ構造の追加アンテナパターン２３０は、図２に示した第１実施形態による携帯端末機の外装型アンテナ構造の追加アンテナパターン１３０と異なる形状を有する。すなわち、固定部２３３の上部２３３ａがスリーブ１１４の長さ方向に沿って延長され、固定部２３３の下部２３３ｂが上部２３３ａから折り曲げられてケース１１１の下端部に沿って延長されている。このような第２実施形態の追加アンテナパターン２３０の形状によって、第２実施形態のケース２１１の長さが第１実施形態のケース１１１の長さよりさらに短くできる。第２実施形態の構成は、この点を除いて第１実施形態の構成と同一である。
【００２１】
図示はしないが、上部２３３ａ及び下部２３３ｂの一方又は双方をさらに折り曲げて折り畳むことにより、固定部２３３の総延長対占有面積（体積）比を上げて、ケース下端部の空間活用度をさらに向上できる。  
【００２２】
本発明は、添付の図面を参照しながら好ましい実施形態を中心に説明したが、これに限定せず、本発明の属する技術分野における通常の知識を有する者が特許請求範囲に記載された技術的思想の範囲内で多様な変形例で実施できることは勿論である。
【符号の説明】
【００２３】
１０、１００、２００  外装型アンテナ
１１、１１１、２１１  ケース
１２、１１２、２１２  ヘッド
１３、１１３、２１３  給電部
１４、１１４、２１４  スリーブ
１５、１１５、２１５  チューブ
１６、１１６、２１６  ストッパー
１７  蓋体
１８、１１８  サイドキー
１９、１１９、２１９  ヒンジ結合部
１１４ａ、１１４ｂ  外部スリーブ、内部スリーブ
１２０  ポゴピン
１２１  弾性部材
１２２  接触ピン
１３０、２３０  追加アンテナパターン
１３１、２３１  接触部
１３２、２３２  連結部
１３３、２３３  固定部
１３４ａ、１３４ｂ、２３４ａ、２３４ｂ  ホール
２３３ａ
【図１】
2011176826.tif 000003
【図２】
2011176826.tif 000004
【図３】
2011176826.tif 000005
【図４】
2011176826.tif 000006
【図５】
2011176826.tif 000007
【図６】
2011176826.tif 000008